【事件の表示】
　特許第２５７９４３８号「折畳み式建具の紐の方向転換部材」の請求項１ないし２に係る特許に対する特許異議の申立てについて、次のとおり決定する。
【結論】
　訂正を認める。
　特許第２５７９４３８号の請求項１に係る特許を維持する。
【理由】
１．手続きの経緯
　本件特許第２５７９４３８号に係る発明は、平成６年５月２８日に特許出願され、平成８年１１月７日にその特許権の設定の登録がなされ、その後、谷口一郎より特許異議の申立てがなされ、次いで、取消理由通知がなされ、その指定期間内である平成１０年５月６日に訂正請求がなされたものである。
２．訂正の適否についての判断
（２−１）．訂正の概要
　上記訂正請求の趣旨は、特許第２５７９４３８号の明細書を訂正請求書に添付した訂正明細書のとおり訂正することを求めることである。
　訂正の要旨は以下のとおりである。
▲１▼訂正事項ａ
特許第２５７９４３８号発明の明細書中の特許請求の範囲の請求項１〜２において、もとの請求項１を削除し、以下項数を繰り上げ、もとの請求項２を新しく請求項１とする。さらに新しい請求項１（もとの請求項２）に係る記載の
「【請求項２】請求項１において、前記通過穴を複数個有し、該各通過穴にそれぞれ挿通する紐が相互に非接触に移動可能な通過穴構造を有することを特徴とする折畳み式建具の紐の方向転換部材。」を、
「【請求項１】方形枠内に移動自在に折畳み体を装着し、方形枠、折畳み体および折畳み体の一端の移動枠に紐を掛け回し、移動枠を移動させて折畳み体を開閉し、移動枠から移動枠へと連続する紐が方形枠内を移動する紐可動式である建具における前記方形枠の角部を構成する枠材の長手方向端面を覆うように該枠材に嵌着して取付けられ、前記紐を挿通して方向を転換する紐の通過穴を方向転換部材自体に複数個有してなり、前記方向転換部材に設けた前記通過穴は、前記折畳み体の移動方向に対して直交方向に所定の間隔を取って穿設され、かつ前記通過穴に挿通した前記紐の進行を方向転換する通過穴入口部の各端面を、前記折畳み体の移動方向に順次ずらして、各通過穴にそれぞれ挿通する紐が相互に非接触に移動可能な通過穴構造とし、かつ樹脂製成形品でなることを特徴とする折畳み式建具の紐の方向転換部材。」と訂正する。
▲２▼訂正事項ｂ
　明細書段落番号【０００５】の
「【課題を解決するための手段】本発明の方向転換部材は、上記目的を達成するため、方形枠内に移動自在に折畳み体を装着し、方形枠、折畳み体および折畳み体の一端の移動枠に紐を掛け回した建具における前記方形枠の角部を構成する枠材の端面を覆うように該枠材に嵌着して取付けられると共に、前記紐を挿通して方向を転換する紐の通過穴を有し、かつ樹脂製成形品により構成したことを特徴とする。」を、
「【課題を解決するための手段】本発明の方向転換部材は、上記目的を達成するため、方形枠内に移動自在に折畳み体を装着し、方形枠、折畳み体および折畳み体の一端の移動枠に紐を掛け回し、移動枠を移動させて折畳み体を開閉し、移動枠から移動枠へと連続する紐が方形枠内を移動する紐可動式である建具における前記方形枠の角部を構成する枠材の長手方向端面を覆うように該枠材に嵌着して取付けられ、前記紐を挿通して方向を転換する紐の通過穴を方向転換部材自体に複数個有してなる。」と訂正する。
▲３▼訂正事項ｃ
　明細書段落番号【０００６】の
「また、本発明において、紐が方形枠内を移動する方式の建具においては、前記通過穴を複数個有し、該各通過穴にそれぞれ導かれる紐が相互に非接触に移動可能な通過穴構造とすることが好ましい。」を、
「前記方向転換部材に設けた前記通過穴は、前記折畳み体の移動方向に対して直交方向に所定の間隔を取って穿設され、かつ前記通過穴に挿通した前記紐の進行を方向転換する通過穴入口部の各端面を、前記折畳み体の移動方向に順次ずらして、各通過穴にそれぞれ挿通する紐が相互に非接触に移動可能な通過穴構造とし、かつ樹脂製成形品でなることを特徴とする。」と訂正する。
▲４▼訂正事項ｄ
　明細書段落番号【００１３】の
「また、本例で開示した建具は、移動枠５を移動させて折畳み体１を開閉する際には、紐１１が方形枠内を移動する紐可動式であるが、この場合、方向転換部材１３Ａ、１３Ｂにおいては、通過穴１３ｆ、１３ｇを通る紐１１の各部分が逆方向に移動することになるが、前記突出端面間に設けた段差（距離Ｘ）により、紐１１の移動方向が反対になる部分の接触が阻まれ、相互の干渉を防止できる。すなわち、従来のように複数の方向転換部材の取付け位置を異ならせる等の複雑な構造を採用することなく、通過穴を紐の相互非接触構造とするだけで紐１１の損傷や移動抵抗の増大を防止することができる。なお、紐１１の接触を防止するためには、通過穴１３ｆ、１３ｇを横方向に並べて配置してもよい。」を、
「また、本例で開示した建具は、移動枠５を移動させて折畳み体１を開閉する際には、紐１１が方形枠内を移動する紐可動式であるが、この場合、方向転換部材１３Ａ、１３Ｂにおいては、通過穴１３ｆ、１３ｇを通る紐１１の各部分が逆方向に移動することになるが、前記突出端面間に設けた段差（距離Ｘ）により、紐１１の移動方向が反対になる部分の接触が阻まれ、相互の干渉を防止できる。すなわち、従来のように複数の方向転換部材の取付け位置を異ならせる等の複雑な構造を採用することなく、通過穴を紐の相互非接触構造とするだけで紐１１の損傷や移動抵抗の増大を防止することができる。」と訂正する。
▲５▼訂正事項ｅ
　明細書段落番号【００１６】の
「請求項２によれば、方向転換部材に前記通過穴を複数個備えると共に、各通過穴はそれぞれの穴に通過させる紐を相互に非接触に移動させる構造としたので、紐移動式の折畳み式建具において、従来のように、複数の方向転換部材の取付け位置を異ならせる等の複雑な構造を採用することなく、紐の損傷や移動抵抗の増大を防止することができる。」を、
「さらに、方向転換部材に前記通過穴を複数個備えると共に、前記方向転換部材に設けた前記通過穴は、前記折畳み体の移動方向に対して直交方向に所定の間隔を取って穿設され、かつ前記通過穴に挿通した前記紐の進行を方向転換する通過穴入口部の各端面を、前記折畳み体の移動方向に順次ずらした構造としたので各通過穴はそれぞれの穴に通過させる紐を相互に非接触に移動させることができる。さらに、紐移動式の折畳み式建具において、従来のように、複数の方向転換部材の取付け位置を異ならせる等の複雑な構造を採用することなく、紐の損傷や移動抵抗の増大を防止することができる。」と訂正する。
（２−２）訂正の目的の適否、及び新規事項・拡張・変更の存否
　上記訂正事項ａは、特許請求の範囲の減縮に該当し、上記訂正事項ｂ〜ｅは、特許請求の範囲の記載と考案の詳細な説明の記載との不整合を回避するために行う、明瞭でない記載の釈明に該当するものということができる。
　これら訂正事項ａ〜ｅは、願書に添付した明細書及び図面に記載された事項の範囲内の訂正であり、実質的に特許請求の範囲を拡張又は変更するものではない。
　（２−３）独立特許要件の判断
（２−３−１）訂正明細書の請求項１に係る発明（以下、「本件請求項１に係る発明」という）は、訂正明細書の特許請求の範囲の請求項１に記載されたとおりのものと認める。
（２−３−２）
　当審が先に通知した取消理由で引用した、本願の出願前に頒布された刊行物１である米国特許第５，１９５，５６９号明細書（特許異議申立人の谷口一郎が提出した甲第１号証）、及び同じく取消理由で引用した刊行物２である特開平５−１７９８７５号公報（特許異議申立人の谷口一郎が提出した甲第２号証）には、本件発明に関連する事項として、以下の事項が記載されているものと認める。
　刊行物１には、“シェード・アセンブリ１０は、広義には、モータまたはヘッド・レール１３、下枠レール１４、ならびにサイド・チャンネルまたはレール１５、１６を含む外側にある剛性のほぼ四角形の枠組み１２を含む。（中略）もう一端はシェードの両端のエッジが横溝１５および１６内に入れられた状態で可動式の下レール１８に固定される。”（特許異議申立人谷口一郎の異議申立書甲第１号証の２第２頁最下行〜第３頁６行の訳文参照。）、“ひも３０のガイド部材は、枠１２の四隅にそれぞれ位置決めされ、モータ駆動式プーリ３４の形の第１のガイド部材と、ローラ３５によって定義された第２のガイド部材と、ローラ３６によって定義された第３のガイド部材と、（中略）ヘッド・レールの一端にあるガイド部材３５と隣り合っているが、内側に離れ少しずらされて配置される。”（同第４頁１５行〜２１行）、“図３および図８を参照すると、ガイド部材または従動プーリ３５および３６のガイド部材は、ヘッド・レール１３のモータ取り付けブロック４６に取り付けられる。（中略）ブロックのフック端部７４は、ヘッドレール１３の他端と接し、前述の反対の端部５８と同じようにサイド・レール１５の上端を差し込むための切り欠き部２７およびスロット６５を備えた張り出し部６４を有する。”（同第５頁最下行〜第６頁７行）の記載および図２、図３からみて、刊行物１には、ヘッドレール１３、下枠レール１４、サイドレールＴ５，１６よりなる方形枠１２内にアコーディオン型シェード２０を装着し、方形枠１２、シェード２０及びシェード２０一端の下し−ル１８に紐３０を掛け廻した建具における、前記方形枠１２の角部を構成するレール１３，１５の端面を覆うように該レールに嵌着して取付けられ、前記紐３０を挿通して方向を転換するローラ３５，３６よりなる紐の方向転換部を有し、かつ前記ローラ３５，３６を通る紐３０が相互に接触しない構造とした折重み式建具のプーリーブロック６８が記載されているものと認める。
　刊行物２の明細書の段落【００１９】の「図９は、図１に例示したグライドピースの別の例を示した要部断面図である。この図９の例においては、図１に例示したスライドバー（５）内部の上下両端部に配設される上側のグライドピース（６ａ）（７ａ）と下側のグライドピース（６ｂ）（７ｂ）をそれぞれ一組のユニットとして一体化している。グライドピースユニット（１０９）には、略半円状としたグライドピース（６ａ）（７ａ）を上下に段差をつけて設けている。また、プリーツ状スクリーン部材（１３）側からスライドバー（５）内に挿入されるひも（１５）を折り曲げるグライドピース（７ａ）内部には、貫通溝（１１０）をユニット（１０９）の長さ方向に形成してもいる。このようなグライドピースユニツト（１０９）を用いることによって、ひも（１６）をスライドバー（５）内においてグライドピース（７ａ）内部の貫通溝（１１０）に挿通させた後に、もう一方のグライドピース（６ａ）に掛け渡し、折り返すことができる。スライドバー（５）のコンパクト化などが図れる。」の記載、及び図９からみて、刊行物２には折り畳み式の建具における紐の方向転換部をグライドピースとした点が記載されているものと認める。
（２−３−３）対比・判断
　▲１▼本件請求項１に係る発明と上記刊行物１および２に記載の各発明とを比較すると、刊行物１には、本件請求項１に係る発明に関連した事項として「ヘッドレール１３、下枠レール１４、サイドレールＴ５，１６よりなる方形枠１２内にアコーディオン型シェード２０を装着し、方形枠１２、シェード２０及びシェード２０一端の下レール１８に紐３０を掛け廻した建具における、前記方形枠１２の角部を構成するレール１３，１５の端面を覆うように該レールに嵌着して取付けられ、前記紐３０を挿通して方向を転換するローラ３５，３６よりなる紐の方向転換部を有し、かつ前記ローラ３５，３６を通る紐３０が相互に接触しない構造とした折重み式建具のプーリーブロック６８」の点が、また刊行物２には同じく「折り畳み式の建具における紐の方向転換部をグライドピースとした」点がそれぞれ記載されてはいるものの、本件請求項１に係る発明の構成の一部の「方向転換部材に設けた前記通過穴は、前記折畳み体の移動方向に対して直交方向に所定の間隔を取って穿設され、かつ前記通過穴に挿通した前記紐の進行を方向転換する通過穴入口部の各端面を、前記折畳み体の移動方向に順次ずらし」（以下「構成要件＠」という。）た点の記載がなく、またそれを窺わせる示唆もなく、かつ当該技術分野において自明な技術的事項でもないことから、上記各刊行物に基き本件請求項１に係る発明に到達することができたと認定することはできない。
　そして、本件請求項１に係る発明は、上記構成要件＠を具有することにより、訂正明細書の段落【００１６】に記載の「さらに、方向転換部材に前記通過穴を複数個備えると共に、前記方向転換部材に設けた前記通過穴は、前記折畳み体の移動方向に対して直交方向に所定の間隔を取って穿設され、かつ前記通過穴に挿通した前記紐の進行を方向転換する通過穴入口部の各端面を、前記折畳み体の移動方向に順次ずらした構造としたので各通過穴はそれぞれの穴に通過させる紐を相互に非接触に移動させることができる。さらに、紐移動式の折畳み式建具において、従来のように、複数の方向転換部材の取付け位置を異ならせる等の複雑な構造を採用することなく、紐の損傷や移動抵抗の増大を防止することができる。」という特有の作用効果を奏するものである。
　したがって、本件請求項１に係る発明は、上記刊行物１及び２に記載された発明に基づいて当業者がきわめて容易に発明をすることができたものということもできない。
　また、他に本件請求項１に係る発明が、独立して特許を受けることができない理由を発見しない。
　よって、本件請求項１に係る発明は、特許出願の際独立して特許を受けることができるものである。
（２−３−４）むすび
　以上のとおりであるから、上記訂正請求は、特許法等の一部を改正する法律（平成６年法律第１１６号）附則第６条第１項の規定により、なお従前の例によるとされる、特許法第１２０条の４第２項及び同第３項において準用する特許法第１２６条第２乃至４項の規定に適合するので、当該訂正を認める。
３．特許異議申立について
（３−１）特許異議申立の理由の概要
特許異議申立人谷口一郎は、甲第１号証、甲第２号証を提出し本件請求項１に係る発明は、甲第１号証及び甲第２号証に記載された発明に基づいて当業者がきわめて容易に発明をすることができたものであるから、特許法第２９条第２項の規定により特許を受けることができないものであり、その特許を取り消すべき旨主張している。
（３−２）当審の判断
　上記２．（２−３）で示したように、本件請求項１に係る発明は、取消理由で引用した、本願の出願前に頒布された刊行物１である米国特許第５，１９５，５６９号明細書（特許異議申立人の谷口一郎が提出した甲第１号証）、及び同じく取消理由で引用した刊行物２である特開平５−１７９８７５号公報（特許異議申立人の谷口一郎が提出した甲第２号証）に記載された発明に基づいて当業者がきわめて容易に発明をすることができたものとすることができない。
　したがって、特許異議申立人の主張は採用できない。
４．むすび
　以上のとおりであるから、本件特許異議申立ての理由及び提出された証拠方法によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１１年１０月２７日（１９９９．１０．２７）
【訂正の要旨】
（訂正の要旨）
本件訂正は、特許請求の範囲の減縮、明りょうでない記載の釈明を目的として、願書に添付した明細書の記載を下記の（１）ないし（５）　のように訂正するものである。
（１）特許請求の範囲の請求項１〜２において、もとの請求項１を削除し、以下項数を繰り上げ、もとの請求項２を新しく請求項１とする。さらに新しい請求項１（もとの請求項２）に係る記載の
「【請求項２】請求項１において、前記通過穴を複数個有し、該各通過穴にそれぞれ挿通する紐が相互に非接触に移動可能な通過穴構造を有することを特徴とする折畳み式建具の紐の方向転換部材。」を、
「【請求項１】方形枠内に移動自在に折畳み体を装着し、方形枠、折畳み体および折畳み体の一端の移動枠に紐を掛け回し、移動枠を移動させて折畳み体を開閉し、移動枠から移動枠へと連続する紐が方形枠内を移動する紐可動式である建具における前記方形枠の角部を構成する枠材の長手方向端面を覆うように該枠材に嵌着して取付けられ、前記紐を挿通して方向を転換する紐の通過穴を方向転換部材自体に複数個有してなり、前記方向転換部材に設けた前記通過穴は、前記折畳み体の移動方向に対して直交方向に所定の間隔を取って穿設され、かつ前記通過穴に挿通した前記紐の進行を方向転換する通過穴入口部の各端面を、前記折畳み体の移動方向に順次ずらして、各通過穴にそれぞれ挿通する紐が相互に非接触に移動可能な通過穴構造とし、かつ樹脂製成形品でなることを特徴とする折畳み式建具の紐の方向転換部材。」と訂正する。
（２）明細書段落番号【０００５】の
「【課題を解決するための手段】本発明の方向転換部材は、上記目的を達成するため、方形枠内に移動自在に折畳み体を装着し、方形枠、折畳み体および折畳み体の一端の移動枠に紐を掛け回した建具における前記方形枠の角部を構成する枠材の端面を覆うように該枠材に嵌着して取付けられると共に、前記紐を挿通して方向を転換する紐の通過穴を有し、かつ樹脂製成形品により構成したことを特徴とする。」を、
「【課題を解決するための手段】本発明の方向転換部材は、上記目的を達成するため、方形枠内に移動自在に折畳み体を装着し、方形枠、折畳み体および折畳み体の一端の移動枠に紐を掛け回し、移動枠を移動させて折畳み体を開閉し、移動枠から移動枠へと連続する紐が方形枠内を移動する紐可動式である建具における前記方形枠の角部を構成する枠材の長手方向端面を覆うように該枠材に嵌着して取付けられ、前記紐を挿通して方向を転換する紐の通過穴を方向転換部材自体に複数個有してなる。」と訂正する。
（３）明細書段落番号【０００６】の
「また、本発明において、紐が方形枠内を移動する方式の建具においては、前記通過穴を複数個有し、該各通過穴にそれぞれ導かれる紐が相互に非接触に移動可能な通過穴構造とすることが好ましい。」を、
「前記方向転換部材に設けた前記通過穴は、前記折畳み体の移動方向に対して直交方向に所定の間隔を取って穿設され、かつ前記通過穴に挿通した前記紐の進行を方向転換する通過穴入口部の各端面を、前記折畳み体の移動方向に順次ずらして、各通過穴にそれぞれ挿通する紐が相互に非接触に移動可能な通過穴構造とし、かつ樹脂製成形品でなることを特徴とする。」と訂正する。
（４）明細書段落番号【００１３】の
「また、本例で開示した建具は、移動枠５を移動させて折畳み体１を開閉する際には、紐１１が方形枠内を移動する紐可動式であるが、この場合、方向転換部材１３Ａ、１３Ｂにおいては、通過穴１３ｆ、１３ｇを通る紐１１の各部分が逆方向に移動することになるが、前記突出端面間に設けた段差（距離Ｘ）により、紐１１の移動方向が反対になる部分の接触が阻まれ、相互の干渉を防止できる。すなわち、従来のように複数の方向転換部材の取付け位置を異ならせる等の複雑な構造を採用することなく、通過穴を紐の相互非接触構造とするだけで紐１１の損傷や移動抵抗の増大を防止することができる。なお、紐１１の接触を防止するためには、通過穴１３ｆ、１３ｇを横方向に並べて配置してもよい。」を、
「また、本例で開示した建具は、移動枠５を移動させて折畳み体１を開閉する際には、紐１１が方形枠内を移動する紐可動式であるが、この場合、方向転換部材１３Ａ、１３Ｂにおいては、通過穴１３ｆ、１３ｇを通る紐１１の各部分が逆方向に移動することになるが、前記突出端面間に設けた段差（距離Ｘ）により、紐１１の移動方向が反対になる部分の接触が阻まれ、相互の干渉を防止できる。すなわち、従来のように複数の方向転換部材の取付け位置を異ならせる等の複雑な構造を採用することなく、通過穴を紐の相互非接触構造とするだけで紐１１の損傷や移動抵抗の増大を防止することができる。」と訂正する。
（５）明細書段落番号【００１６】の
「請求項２によれば、方向転換部材に前記通過穴を複数個備えると共に、各通過穴はそれぞれの穴に通過させる紐を相互に非接触に移動させる構造としたので、紐移動式の折畳み式建具において、従来のように、複数の方向転換部材の取付け位置を異ならせる等の複雑な構造を採用することなく、紐の損傷や移動抵抗の増大を防止することができる。」を、
「さらに、方向転換部材に前記通過穴を複数個備えると共に、前記方向転換部材に設けた前記通過穴は、前記折畳み体の移動方向に対して直交方向に所定の間隔を取って穿設され、かつ前記通過穴に挿通した前記紐の進行を方向転換する通過穴入口部の各端面を、前記折畳み体の移動方向に順次ずらした構造としたので各通過穴はそれぞれの穴に通過させる紐を相互に非接触に移動させることができる。さらに、紐移動式の折畳み式建具において、従来のように、複数の方向転換部材の取付け位置を異ならせる等の複雑な構造を採用することなく、紐の損傷や移動抵抗の増大を防止することができる。」と訂正する。
（５４）【発明の名称】
折畳み式建具の紐の方向転換部材
（５７）【特許請求の範囲】
　【請求項１】方形枠内に移動自在に折畳み体を装着し、方形枠、折畳み体および折畳み体の一端の移動枠に紐を掛け回し、
移動枠を移動させて折畳み体を開閉し、移動枠から移動枠へと連続する紐が方形枠内を移動する紐可動式である
長手方向
方向転換部材自体に
前記方向転換部材に設けた前記通過穴は、前記折畳み体の移動方向に対して直交方向に所定の間隔を取って穿設され、かつ前記通過穴に挿通した前記紐の進行を方向転換する通過穴入口部の各端面を、前記折畳み体の移動方向に順次ずらして
【発明の詳細な説明】
　【０００１】
　【産業上の利用分野】本発明は、網またはスクリーンを蛇腹式に折畳み自在に構成すると共に、該折畳み体を方形枠に取付け、該折畳み体をこれに貫通した紐により伸縮させて開閉するように構成した網戸、カーテン、間仕切り、日よけ等の折畳み式建具において、前記方形枠の角部に設けられる折畳み式建具の紐の方向転換部材に関する。
　【０００２】
　【従来の技術】網またはスクリーンを蛇腹式に折畳み、その折畳み体を伸縮自在に設けた建具が網戸等として用いられている。この建具は、建物開口部に固定される方形枠の一辺を構成する収容枠と、該収容枠の両端に直交して設けられるガイド枠と、該ガイド枠に沿って移動する移動枠とを備え、折畳み体の両端をこれら収容枠と移動枠に結合して設け、移動枠をガイド枠に対して垂直に保持しかつ折畳み体の弛みを防止する紐を、前記折畳み体に貫通すると共に、枠に掛け回してなる。このような折畳み体を使用した建具において、前記紐は、外観を向上させるために、各枠内を挿通させており、また、該紐を方形枠の角部において約９０度方向転換させるため、該角部には紐を導くプーリーでなる方向転換部材が設けられている。
　【０００３】
　【発明が解決しようとする課題】しかし、従来のプーリでなる方向転換部材は、ブラケット等を介して枠に固定される構造のために構成部品点数が多くなり、かつ、枠内の取付けスペースが狭いために取付けが困難であるという問題点があった。また、方形枠の角部において、複数の紐を方向転換させる構造の建具の場合には、それぞれの紐が干渉せずに移動できるように複数の方向転換部材を前記同様に取付けなければならず、部品点数がさらに多くなり、取付けがますます困難になるという問題点があった。
　【０００４】本発明は、上記の問題点に鑑み、折畳み式建具の方形枠の角部に設けられる紐の方向転換部材において、簡単な構造で容易に取付けでき、しかもコーナーキャップとして用いられるものを提供することを目的とする。
　【０００５】
　【課題を解決するための手段】本発明の方向転換部材は、上記目的を達成するため、方形枠内に移動自在に折畳み体を装着し、方形枠、折畳み体および折畳み体の一端の移動枠に紐を掛け回し、
移動枠を移動させて折畳み体を開閉し、移動枠から移動枠へと連続する紐が方形枠内を移動する紐可動式である
長手方向
方向転換部材自体に
　【０００６】
前記方向転換部材に設けた前記通過穴は、前記折畳み体の移動方向に対して直交方向に所定の間隔を取って穿設され、かつ前記通過穴に挿通した前記紐の進行を方向転換する通過穴入口部の各端面を、前記折畳み体の移動方向に順次ずらして
　【０００７】
　【作用】本発明は、方向転換部材の通過穴に紐を挿通させることにより、紐が方形枠内に沿って通るように案内されると共に、方向転換部材が枠材の端面を覆ってコーナーキャップとしての機能を発揮する。また、該方向転換部材が通過穴を複数個有し、これらの通過穴にそれぞれ導かれる紐が相互に非接触に移動可能な通過穴構造する場合は、それぞれ導かれて移動する紐どうしの干渉が防止される。
　【０００８】
　【実施例】図１（Ａ）は本発明による折畳み式建具の紐の方向転換部材の一実施例を枠に嵌合させた状態で示す縦断面図、同（Ｂ）は（Ａ）のＥ−Ｅ断面図、図２は該実施例の方向転換部材と方形枠の角部を示す分解斜視図、図３（Ａ）は該実施例の方向転換部材の正面図、同（Ｂ）は側面図、同（Ｃ）は底面図、図４は該実施例の方向転換部材を取付けた折畳み式網戸の正面図、図５は図４のＦ−Ｆ拡大断面図、図６は図４のＧ−Ｇ拡大断面図である。図４ないし図６において、１は網又はスクリーンを蛇腹状に構成した折畳み体、２は該折畳み体１の一端を取付けた収容枠、５は該折畳み体１の他端を取付けた移動枠である。折畳み体１の前記収容枠２や移動枠５に対する取付けは、図５に示すように、折畳み体１の両端にそれぞれ両面テープあるいは紙綴器等により帯状の合成樹脂製の取付け板１ａ、１ｂを固定し、これらの取付け板１ａ、１ｂをそれぞれ収容枠２、移動枠５に設けた取付け溝２ａ、５ａに嵌め込むことにより行っている、４は前記収容枠２の両端に直角に設けられ、かつ前記移動枠５の両端を移動自在に係合したガ
Ｙガイド枠４、４間に前記収容枠２に対向して設けられる対向枠である。これらの枠２〜５はアルミニウム合金製または合成樹脂製押出し形材でなる。
　【０００９】収容枠２とガイド枠４または対向枠３とガイド枠４は、図２に示すように、一方の枠（図示例においてはガイド枠４）に設けたタッピングホール６に他方の（図示例は対向枠３）の穴７に通したねじ８を螺合することにより結合され、図５、図６に示すように、建物の開口部を構成する躯体９に、枠２、３をねじ等の固定具１０によって固定することによりこれらの枠２〜４でなる方形枠が取付けられる。折畳み体１の折り目の間には、スライドガイド１９を挟み、スライドガイド１９に設けた溝１９ａに、移動枠５の移動、垂直保持並びに折畳み体１の弛みを防止する紐１１を通し、スライドガイド１９の足１９ｂをガイド枠４のガイド溝４ａにスライド自在に嵌合して折畳み体１のガイド枠４からのずれを無くす。
　【００１０】上記折畳み式網戸においては、前記紐１１を１本とし、該紐１１の掛け回し経路は次の通りにしている。図４に示すように、紐１１の始端を張力調整部１２Ａを介して移動枠５に固定し、移動枠５の上端に継ぎ足した端部部材２０Ａに設けた方向転換部材２１Ａに掛け、ガイド枠４に通し、対向枠３の上端の方向転換部材１３Ａに掛け、対向枠３内に通し、対向枠３の下端の方向転換部材１３Ｂに掛け、下方のガイド枠４に通し、収容枠２の下部の方向転換部材１３Ｃに掛け、収容枠２の下部に通し、収容枠２の下部に設けた方向転換部材２３Ａに掛け、折畳み体１の下部に貫通し、移動枠５の下端に継ぎ足した端部部材２０Ｂの方向変換部材２４Ｂに掛け、移動枠５の内部に通し、移動枠５の上端の前記端部部材２０Ａに設けた方向転換部材２４Ａに掛け、折畳み体１の上部に貫通し、収容枠２の上部の方向転換部材２３Ｂに掛け、収容枠２の上部に通し、収容枠２の上端部に設けた方向転換部材１３Ｄに掛け、上部のガイド枠４に通し、対向枠３の上端の前記方向転換部材１３Ａの前記とは別の穴に掛け、対向枠３内に通し、対向枠３の下端の方向転換部材１３Ｂの前記とは別の穴に掛け、下方のガイド枠４に通し、移動枠５の下部の端部部材２０Ｂの方向転換部材２１Ｂに掛け、終端を移動枠５に張力調整部１２Ｂを介して移動枠５に固定する。また、紐１１の途中の部分を移動枠５に中間固定装置２５により固定する。この構成において、張力調整部１２Ａ（又は１２Ｂ）により紐１１の張力を調整した後、中間固定装置２５により紐１１の途中部分を固定し、該中間固定装置２５と張力調整部１２Ａとの間の紐１１の張力と、中間固定装置２５と張力調整部１２Ｂとの間の紐１１の張力とを等しい状態にすることにより、前記移動枠５が開位置（図５の実線位置）、閉位置（図５の２点鎖線位置）およびその間の移動状態のいずれの状態においても、移動枠５がイド枠４に対して垂直に保持され、かつ移動時にガタつくことが防止される。
　【００１１】上記網戸において、方形枠の角部に設けられた方向転換部材１３Ａ〜１３Ｄが本発明によるものであり、図１ないし図３において、対向枠３の上端に取付けられる方向転換部材１３Ａで代表して示すように、例えばポリアセタール樹脂等の硬質樹脂製の一体成形品でなり、紐１１を通過させる２つの通過穴１３ｆ、１３ｇを有しており、これらの通過穴１３ｆ、１３ｇは両端部１３ｉをＲ状に形成し、突出端面間にＸに示す距離（図１（Ａ）参照）を持たせてある。図１、図２に示すように、該方向転換部材１３Ａは、対向枠３の上端から中空部３ａに嵌合され、下端の係止爪１３ｅを、対向枠３に設けた係止穴３ｂに方向転換部材１３Ａの持つ弾性により弾発的に係止させ、上端の鍔部１３ｈを対向枠３の端面に当接させる。また、対向枠３の下端の方向転換部材１３Ｂは上部の方向転換部材１３Ａと対称形に形成され、対角上の方向転換部材１３Ｃは１３Ａと同形をなし、１３Ｂと１３Ｄも同形をなし、これら方向転換部材１３Ｂ〜１３Ｄも方向転換部材１３Ａと同様に対向枠３あるいは収容枠２の端部に嵌合される。該網戸の場合、方向転換部材１３Ｃ、１３Ｄは１個の通過穴１３ｆまたは１３ｇに紐１１を通す。なお、２８は対向枠３の外面に嵌合して装着されるアタッチメントであり、合成樹脂製またはアルミニウム合金製押し出し形材でなるものである。
　【００１２】このように、樹脂製成形品でなる方向転換部材１３Ａ〜１３Ｄを枠の端部に嵌着し、紐１１を通過穴１３ｆ、１３ｇに通すことにより、方形枠の角部において紐１１の方向を約９０度転換させることができる。このような樹脂製成形品でなる方向転換部材１３Ａ〜１３Ｄは、従来のプーリー等の方向転換部材と比較して、部品点数が低減された簡単な構造とすることができ、かつ、枠に容易に取付けることができる。また、方向転換部材１３Ａ〜１３Ｄは、紐１１の張力により枠内に引き込まれるため、枠からの脱落が防止される。また、方向転換部材１３Ａ〜１３Ｄが対向枠３あるいは収容枠
２の端面を覆うので、コーナーキャップの役目も果たし、組立および取付け作業における安全性並びに意匠性を高めることができる。
　【００１３】また、本例で開示した建具は、移動枠５を移動させて折畳み体１を開閉する際には、紐１１が方形枠内を移動する紐可動式であるが、この場合、方向転換部材１３Ａ、１３Ｂにおいては、通過穴１３ｆ、１３ｇを通る紐１１の各部分が逆方向に移動することになるが、前記突出端面間に設けた段差（距離Ｘ）により、紐１１の移動方向が反対になる部分の接触が阻まれ、相互の干渉を防止できる。すなわち、従来のように複数の方向転換部材の取付け位置を異ならせる等の複雑な構造を採用することなく、通過穴を紐の相互非接触構造とするだけで紐１１の損傷や移動抵抗の増大を防止することができる。
　【００１４】また、本発明の方向転換部材は、縦に設置される上記網戸等の建具のみならず、天窓のように斜めに設置されるもの、水平に設置される建具、紐自体は方形枠に対して移動しない紐固定式の建具、あるいは両開きの折畳み式の建具等の方形枠の角部に用いられる。その他、本発明において、通過穴の形状や配置、鍔部の形状について、種々の変更が可能である。
　【００１５】
　【発明の効果】請求項１によれば、方向転換部材が樹脂製成形品でなり、枠端部に嵌着して取付けられるものであるから、プーリー等の従来のものと比較して、部品点数が少なく構造簡単であって、容易に製造並びに取付けができ、しかも安価に提供できるのみならず、方向転換部材は方形枠の角部を構成する枠材の端面を覆うので、コーナーキャップの役目も果たし、組立および取付け作業の安全性、ならびに意匠性を高めることができる。また、方向転換部材は紐の張力により枠内に引き込まれるように付勢されるから、枠からの脱落が防止され、合理的な構造が実現される。
　【００１６】さらに、方向転換部材に前記通過穴を複数個備えると共に、
前記方向転換部材に設けた前記通過穴は、前記折畳み体の移動方向に対して直交方向に所定の間隔を取って穿設され、かつ前記通過穴に挿通した前記紐の進行を方向転換する通過穴入口部の各端面を、前記折畳み体の移動方向に順次ずらした
【図面の簡単な説明】
　【図１】（Ａ）は本発明による折畳み式建具の方向転換部材の一実施例を枠に取付けた状態で示す縦断面図、（Ｂ）は（Ａ）のＥ−Ｅ断面図である。
　【図２】該実施例の方向転換部材と方形枠の角部を示す分解斜視図である。
　【図３】（Ａ）は該実施例の方向転換部材の正面図、（Ｂ）は側面図、（Ｃ）は底面図である。
　【図４】該実施例の方向転換部材を取付けた折畳み式網戸の正面図である。
　【図５】図４のＦ−Ｆ拡大断面図である。
　【図６】図４のＧ−Ｇ拡大断面図である。
　【符号の説明】
１：折畳み体、２：収容枠、３：対向枠、４：ガイド枠、５：移動枠、１１：紐、１２Ａ、１２Ｂ：張力調整部、１３Ａ〜１３Ｄ、２１Ａ、２１Ｂ、２３Ａ、２３Ｂ、２４Ａ、２４Ｂ：方向転換部材、２０Ａ、２０Ｂ：端部部材、２５：紐の中間固定装置